【手続補正書】
【提出日】平成20年5月16日(2008.5.16)
【手続補正１】
【補正対象書類名】明細書
【補正対象項目名】全文
【補正方法】変更
【補正の内容】
【書類名】      明細書
【発明の名称】  光ディスク装置およびその記録情報消去方法
【特許請求の範囲】
【請求項１】  光ディスクにレーザ光を照射するピックアップと、前記ピックアップから照射するレーザ光を制御して、情報の記録、または消去を行うレーザ制御手段と、前記光ディスク上の記録面に記録された記録信号を検出するとともに前記記録面の位置を検出する記録信号検出手段と、前記光ディスクの記録エリアのトラック情報が記録されているプログラムメモリエリアの管理情報を消去する制御手段とを備え、
前記制御手段は、前記プログラムメモリエリアの手前から管理情報の記録の有無を検出し、前記プログラムメモリエリアの手前に前記管理情報が記録されていることを検出した場合には、前記管理情報の記録開始位置を消去開始位置として前記管理情報を消去することを特徴とする光ディスク装置。
【請求項２】  前記制御手段は、前記消去開始位置から前記プログラムメモリエリアの開始位置までの間では物理消去を行い、前記プログラムメモリエリアの開始位置からは論理消去を行うことを特徴とする請求項１に記載の光ディスク装置。
【請求項３】  前記制御手段は、前記プログラムメモリエリアの開始位置を検出するまでの間に、前記記録信号を検出しない場合には、前記プログラムメモリエリアの開始位置に前記ピックアップが到達した時から前記管理情報を消去することを特徴とする請求項１記載の光ディスク装置。
【請求項４】  光ディスクにレーザ光を照射するピックアップと、前記ピックアップから照射するレーザ光を制御して、情報の記録、または消去を行うレーザ制御手段と、前記光ディスク上の記録面に記録された記録信号を検出するとともに前記記録面の位置を検出する記録信号検出手段と、前記光ディスクの記録エリアのトラック情報が記録されているプログラムメモリエリアの管理情報を消去する制御手段とを備え、
前記制御手段は、前記プログラムメモリエリア内の管理情報の記録の有無を検出し、前記プログラムメモリエリア内の記録終了位置を判定し、判定した前記記録終了位置を消去終了位置として前記管理情報を消去することを特徴とする光ディスク装置。
【請求項５】  光ディスク内に記録されているプログラムメモリエリアの開始位置を読み出すステップと、前記ピックアップを前記プログラムメモリエリアの開始位置の手前にシークさせ、前記レーザ制御手段によって再生を行いながら前記プログラムメモリエリアの開始位置を検出するステップと、少なくとも前記プログラムメモリエリアの開始位置を検出するまでの間、記録信号の検出を行い、前記記録信号を検出した場合には前記記録信号が検出された位置を消去開始位置に設定するステップと、前記ステップで消去開始位置を設定した場合には、前記ピックアップを再度前記プログラムメモリエリアの開始位置の手前にシークさせ、前記レーザ制御手段によって再生を行いながら前記消去開始位置を検出するステップと、前記ステップで検出した前記消去開始位置から前記管理情報を消去するステップとを備えたことを特徴とする光ディスク装置の記録情報消去方法。
【請求項６】
光ディスク内に記録されているプログラムメモリエリアの開始位置を読み出すステップと、前記ピックアップを前記プログラムメモリエリアの開始位置の手前にシークさせ、前記レーザ制御手段によって再生を行いながら前記プログラムメモリエリアの開始位置を検出するステップと、少なくとも前記プログラムメモリエリアの開始位置を検出した後に、記録信号の検出を行い、正常に管理情報が記録終了している位置を検出するステップと、前記ステップで検出した前記管理情報の記録終了位置を消去終了位置に設定するステップと、前記ピックアップを再度前記プログラムメモリエリアの開始位置の手前にシークさせ、前記ステップで設定した消去終了位置まで前記管理情報を消去するステップとを備えたことを特徴とする光ディスク装置の記録情報消去方法。
【発明の詳細な説明】
【０００１】
【発明の属する技術分野】
本発明は、情報の記録および消去可能な光ディスクの記録エリアのトラック情報が記録されているプログラムメモリエリアの管理情報を消去する光ディスク装置の管理情報消去方法、およびこの記録情報消去方法を行う光ディスク装置に関する。
【０００２】
【従来の技術】
光ディスクとして、ＣＤ−ＲＷ等の書換型光ディスクがある。この光ディスクに情報を記録または消去する装置では、光ディスクの記録面に情報を記録または消去するためにピックアップを用いている。そして情報を記録する場合は、ピックアップのレーザ出力を記録パワーに設定し、光ディスク上に存在するウォブル信号を用いて時間情報を取得しながら記録することで、記録面にピットを形成する。また、情報を消去する場合は、所定のデータで記録することにより論理的に消去する論理消去法と、消去パワーでレーザ出力を出力し、ディスクの記録面に形成されたピットを物理的に無くすことで記録信号存在エリアを記録信号不存在エリアへ変化させて消去する物理消去法がある。
図７は、ＣＤ−ＲＷディスクの内周付近のディスクフォーマットの構成を示している。内周から、レーザパワー試し書きエリアであるパワーキャリブレーションエリア（以下、ＰＣＡと略記する）、光ディスクの記録エリアのトラック情報を管理する管理情報が記録されているエリアであるプログラムメモリエリア（以下、ＰＭＡと略記する）、光ディスクの目次情報（以下、ＴＯＣと略記する）が記録されているリードインエリア、ユーザが書き込みたいデータが記録されるプログラムエリア（図示せず）から構成されており、所定の位置に所定のデータが記録されている状態を示している。このように、ＣＤ−ＲＷ等の書換型光ディスクでは、記録エリアの開始位置および終了位置等の管理情報を保管するプログラムメモリエリアを設けている。
図７において、ＰＭＡ開始位置９からＰＭＡ終了位置１０までがプログラムメモリエリア（ＰＭＡ）であり、図７は、ＰＭＡ開始位置９から記録信号終了位置９２までに管理情報が記録されていることを示している。
図８は、記録エリアのトラック情報を管理する管理情報がＰＭＡ開始位置９より手前から記録されていることを、また図９は、記録エリアのトラック情報を管理する管理情報がＰＭＡ開始位置９より後方から記録されていることを、また図１０は、記録エリアのトラック情報を管理する管理情報が不連続に記録されていることを、また図１１は、管理情報が図８に示すような記録状態にあるときに、ＰＭＡ開始位置９から消去動作を行った場合をそれぞれ示している。
図１２は、従来の光ディスク装置の消去動作を示すフローチャート図である。
図１２を用いて従来の光ディスク装置の消去動作を説明する。
光ディスク装置に光ディスクが装着された状態で、ホストコンピュータ（図示せず）から、論理消去、または物理消去コマンドが発行されると（Ｓ１０１）、スピンアップ途中に取得した内周情報からＰＭＡ開始位置９を算出し、ＰＭＡ開始位置９を論理消去（物理消去）開始位置に設定する（Ｓ１０２）。そして、ピックアップ駆動手段を制御することで、ピックアップを光ディスクのＰＭＡ開始位置９の手前までシークさせ（Ｓ１０３）、ピックアップをシーク位置から再生させる（Ｓ１０４）。そして、この再生中に、制御装置にてピックアップの現在位置を計算し（Ｓ１０５）、ピックアップが論理消去（物理消去）開始位置に到達したか否かを判断する（Ｓ１０６）。ＰＭＡ開始位置９に到達していないと判断された場合には、再生を継続し（Ｓ１０４）、制御装置にてピックアップの現在位置を計算する（Ｓ１０５）。Ｓ１０６においてＰＭＡ開始位置９に到達したことが判断されると、このＰＭＡ開始位置９から論理消去または物理消去が行われる（Ｓ１０７）。ＰＭＡ終了位置１０に到達したか否か、または管理情報終了位置９２に到達したか否かが判断され（Ｓ１０８）、Ｓ１０８にてＰＭＡ終了位置１０に到達したか、または管理情報終了位置９２に到達したことが判断されるまで、論理消去または物理消去が行われる（Ｓ１０７）。そしてＳ１０８にてＰＭＡ終了位置１０に到達したか、または管理情報終了位置９２に到達したことが判断されると論理消去または物理消去が終了し、消去が完了する（Ｓ１０９）。
【０００３】
【発明が解決しようとする課題】
上記の消去方法によれば、図８に示すように管理情報が所定の位置より手前から記録されている光ディスクでは、図１１に示すように管理情報９ｂが残存してしまう。
従って、新たな管理情報がＰＭＡ開始位置、またはＰＭＡ開始位置より後方から記録された場合には、管理情報９ｂが混在しているため、追記しようとすると管理情報９ｂを取得してしまい、有効な記録を継続できなくなってしまうという課題があった。
また、ＰＭＡ開始位置から管理情報終了位置までの間を消去する方法にあっては、図９や図１０の記録状態を完全に消去できない場合があるという課題があった。
【０００４】
そこで本発明は、管理情報が所定の位置より手前から記録されている場合であっても、管理情報を残すことなく消去を行え、追記や再生を正常に行うことができる光ディスク装置の記録情報消去方法を提供することを目的とする。
また本発明は、管理情報が不連続に記録されている場合であっても、管理情報を残すことなく消去を行え、追記や再生を正常に行うことができる光ディスク装置の記録情報消去方法を提供することを目的とする。
また本発明は、管理情報を残すことなく消去を行え、追記や再生を正常に行うことができる光ディスク装置を提供することを目的とする。
【０００５】
【課題を解決するための手段】
請求項１記載の本発明の光ディスク装置は、光ディスクにレーザ光を照射するピックアップと、前記ピックアップから照射するレーザ光を制御して、情報の記録、または消去を行うレーザ制御手段と、前記光ディスク上の記録面に記録された記録信号を検出するとともに前記記録面の位置を検出する記録信号検出手段と、前記光ディスクの記録エリアのトラック情報が記録されているプログラムメモリエリアの管理情報を消去する制御手段とを備え、前記制御手段は、前記プログラムメモリエリアの手前から管理情報の記録の有無を検出し、前記プログラムメモリエリアの手前に前記管理情報が記録されていることを検出した場合には、前記管理情報の記録開始位置を消去開始位置として前記管理情報を消去することを特徴とする。
請求項２記載の本発明は、請求項１に記載の光ディスク装置において、前記制御手段は、前記消去開始位置から前記プログラムメモリエリアの開始位置までの間では物理消去を行い、前記プログラムメモリエリアの開始位置からは論理消去を行うことを特徴とする。
請求項３記載の本発明は、請求項１に記載の光ディスク装置において、前記制御手段は、前記プログラムメモリエリアの開始位置を検出するまでの間に、前記記録信号を検出しない場合には、前記プログラムメモリエリアの開始位置に前記ピックアップが到達した時から前記管理情報を消去することを特徴とする。
請求項４記載の本発明の光ディスク装置は、光ディスクにレーザ光を照射するピックアップと、前記ピックアップから照射するレーザ光を制御して、情報の記録、または消去を行うレーザ制御手段と、前記光ディスク上の記録面に記録された記録信号を検出するとともに前記記録面の位置を検出する記録信号検出手段と、前記光ディスクの記録エリアのトラック情報が記録されているプログラムメモリエリアの管理情報を消去する制御手段とを備え、前記制御手段は、前記プログラムメモリエリア内の管理情報の記録の有無を検出し、前記プログラムメモリエリア内の記録終了位置を判定し、判定した前記記録終了位置を消去終了位置として前記管理情報を消去することを特徴とする。
請求項５記載の本発明の光ディスク装置の記録情報消去方法は、光ディスク内に記録されているプログラムメモリエリアの開始位置を読み出すステップと、前記ピックアップを前記プログラムメモリエリアの開始位置の手前にシークさせ、前記レーザ制御手段によって再生を行いながら前記プログラムメモリエリアの開始位置を検出するステップと、少なくとも前記プログラムメモリエリアの開始位置を検出するまでの間、記録信号の検出を行い、前記記録信号を検出した場合には前記記録信号が検出された位置を消去開始位置に設定するステップと、前記ステップで消去開始位置を設定した場合には、前記ピックアップを再度前記プログラムメモリエリアの開始位置の手前にシークさせ、前記レーザ制御手段によって再生を行いながら前記消去開始位置を検出するステップと、前記ステップで検出した前記消去開始位置から前記管理情報を消去するステップとを備えたことを特徴とする。
請求項６記載の本発明の光ディスク装置の記録情報消去方法は、光ディスク内に記録されているプログラムメモリエリアの開始位置を読み出すステップと、前記ピックアップを前記プログラムメモリエリアの開始位置の手前にシークさせ、前記レーザ制御手段によって再生を行いながら前記プログラムメモリエリアの開始位置を検出するステップと、少なくとも前記プログラムメモリエリアの開始位置を検出した後に、記録信号の検出を行い、正常に管理情報が記録終了している位置を検出するステップと、前記ステップで検出した前記管理情報の記録終了位置を消去終了位置に設定するステップと、前記ピックアップを再度前記プログラムメモリエリアの開始位置の手前にシークさせ、前記ステップで設定した消去終了位置まで前記管理情報を消去するステップとを備えたことを特徴とする。
【０００６】
【発明の実施の形態】
本発明の第１の実施の形態による光ディスク装置は、制御手段は、プログラムメモリエリアの手前から管理情報の記録の有無を検出し、プログラムメモリエリアの手前に管理情報が記録されていることを検出した場合には、管理情報の記録開始位置を消去開始位置として管理情報を消去するものである。本実施の形態によれば、管理情報が所定の位置より手前から記録されている場合であっても、管理情報を残すことなく消去を行え、追記や再生を正常に行うことができる。
【０００７】
本発明の第２の実施の形態は、第１の実施の形態による光ディスク装置において、制御手段は、消去開始位置からプログラムメモリエリアの開始位置までの間では物理消去を行い、プログラムメモリエリアの開始位置からは論理消去を行うものである。本実施の形態によれば、本来の記録位置ではないプログラムメモリエリア外の管理情報を物理消去することで、プログラムメモリエリア外を初期の状態に戻すことができる。
【０００８】
本発明の第３の実施の形態は、第１の実施の形態による光ディスク装置において、制御手段は、プログラムメモリエリアの開始位置を検出するまでの間に、記録信号を検出しない場合には、プログラムメモリエリアの開始位置にピックアップが到達した時から管理情報を消去するものである。本実施の形態によれば、例えばプログラムメモリエリアの開始位置より後方から管理情報が記録されている場合にも確実に管理情報を消去することができる。
【０００９】
本発明の第４の実施の形態による光ディスク装置は、制御手段は、プログラムメモリエリア内の管理情報の記録の有無を検出し、プログラムメモリエリア内の記録終了位置を判定し、判定した記録終了位置を消去終了位置として管理情報を消去するものである。本実施の形態によれば、管理情報が不連続に記録されている場合であっても、管理情報を残すことなく消去を行え、追記や再生を正常に行うことができる。
【００１０】
本発明の第５の実施の形態による光ディスク装置の記録情報消去方法は、光ディスク内に記録されているプログラムメモリエリアの開始位置を読み出すステップと、ピックアップをプログラムメモリエリアの開始位置の手前にシークさせ、レーザ制御手段によって再生を行いながらプログラムメモリエリアの開始位置を検出するステップと、少なくともプログラムメモリエリアの開始位置を検出するまでの間、記録信号の検出を行い、記録信号を検出した場合には前記記録信号が検出された位置を消去開始位置に設定するステップと、ステップで消去開始位置を設定した場合には、ピックアップを再度プログラムメモリエリアの開始位置の手前にシークさせ、レーザ制御手段によって再生を行いながら消去開始位置を検出するステップと、ステップで検出した消去開始位置から管理情報を消去するステップとを備えたものである。本実施の形態によれば、少なくともプログラムメモリエリアの開始位置を検出するまでの間、記録信号の検出を行い、記録信号を検出した場合には前記記録信号が検出された位置を消去開始位置に設定し、ピックアップを再度プログラムメモリエリアの開始位置の手前にシークさせ、消去開始位置を検出し、この消去開始位置から管理情報を消去するために、所定の位置より手前から記録されている管理情報を正確に検出して消去することができる。
【００１１】
本発明の第６の実施の形態による光ディスク装置の記録情報消去方法は、光ディスク内に記録されているプログラムメモリエリアの開始位置を読み出すステップと、ピックアップをプログラムメモリエリアの開始位置の手前にシークさせ、レーザ制御手段によって再生を行いながらプログラムメモリエリアの開始位置を検出するステップと、少なくともプログラムメモリエリアの開始位置を検出した後に、記録信号の検出を行い、正常に管理情報が記録終了している位置を検出するステップと、ステップで検出した管理情報の記録終了位置を消去終了位置に設定するステップと、ピックアップを再度プログラムメモリエリアの開始位置の手前にシークさせ、ステップで設定した消去終了位置まで管理情報を消去するステップとを備えたものである。本実施の形態によれば、少なくともプログラムメモリエリアの開始位置を検出した後に、記録信号の検出を行い、正常に管理情報が記録終了している位置を消去終了位置に設定し、ピックアップを再度プログラムメモリエリアの開始位置の手前にシークさせ、ステップで設定した消去終了位置まで管理情報を消去するために、不連続に記録されている管理情報を正確に検出して消去することができる。
【００１２】
【実施例】
以下に、本発明の一実施例による光ディスク装置およびその記録情報消去方法について図を用いて説明する。
図１は、本発明の一実施における光ディスク装置の構成を示している。
光ディスク装置は、光ディスク１を回転駆動するモータ５と、光ディスク１にレーザ光を照射し、また光ディスク１からの反射レーザ光を受光するピックアップ３とを備えている。制御手段２は、回転制御手段４、レーザ制御手段６、ピックアップ駆動手段７、及び記録信号検出手段８を制御する。回転制御手段４は、モータ５の回転速度を線速度一定または角速度一定に制御する。レーザ制御手段６は、ピックアップ３から出力されるレーザ強度を制御する。より具体的には、レーザ制御手段６は、記録時、再生時、物理消去、論理消去に応じてレーザ強度を変更するとともに、光ディスクの種類や個別の光ディスクの特性に応じてレーザ強度を変更する。またピックアップ駆動手段７は、ピックアップ３の位置を変更する。記録信号検出手段８は、ピックアップ３で受光する光ディスク１からの反射レーザ光を検出して記録信号の有無や記録信号の位置等の情報を検出する。
このような光ディスク装置に光ディスク１が挿入されると、制御手段２は、レーザ制御手段６に命令を出してピックアップ３のレーザ光を制御し、回転制御手段４に命令を出してモータ５を回転制御することで、光ディスク１のスピンアップが開始する。また制御手段２は、ピックアップ駆動手段７を制御することにより、光ディスク１の半径方向へ移動が可能となり、ピックアップ３を光ディスク１の各エリアへシークさせる。記録信号検出手段８は、光ディスク１の記録信号の振幅から、光ディスク１の該当エリアが記録エリアか未記録エリアであるか否か判別することができる。
【００１３】
図２を参照しながら、本実施例の光ディスク装置の動作を説明する。
図２は本実施例における光ディスク装置の論理消去動作を示すフローチャート図である。
ホストコンピュータ（図示せず）から、論理消去コマンドが発行されると（Ｓ１）、スピンアップ途中に取得した内周情報からＰＭＡ開始位置９を算出し、論理消去開始位置をＰＭＡ開始位置９に設定する（Ｓ２）。
そして、ピックアップ駆動手段７を制御することで、ピックアップ３を光ディスク１のＰＭＡ開始位置９の手前までシークさせる（Ｓ３）。そして、ピックアップ３をシーク位置からＰＭＡ開始位置９まで再生させる（Ｓ４）。ピックアップ３の現在位置がＰＭＡ開始位置９に到達するまでの再生中、記録信号検出手段８により記録信号の検出を行い（Ｓ１１）、また制御手段２にピックアップ３の現在位置を計算させる（Ｓ５）。そのため、図８に示すように管理情報が所定の位置９より手前から記録されている場合には、Ｓ６にてピックアップ３が論理消去開始位置であるＰＭＡ開始位置９に到達する前に記録信号が検出される（Ｓ１２）。Ｓ１２にて記録信号が検出されるとピックアップ３の現在位置を計算し（Ｓ１３）、その検出位置を論理消去開始位置に設定変更する（Ｓ１４）。そして再度、ピックアップ３を管理情報開始位置の手前にシークさせ（Ｓ３）、再生動作を行う（Ｓ４）。ピックアップ３の現在位置が設定変更された論理消去開始位置に到達するまでの再生中、記録信号検出手段８により記録信号の検出を行い（Ｓ１１）、また制御手段２にピックアップ３の現在位置を計算させる（Ｓ５）。そして、ピックアップ３が設定変更された論理消去開始位置に到達したことを判断すると（Ｓ６）、この論理消去開始位置から論理消去を行う（Ｓ７）。この論理消去は、ピックアップ３が管理情報終了位置９２に到達するまで行われる（Ｓ８）。Ｓ８にてピックアップ３が管理情報終了位置９２に到達したことを判断すると論理消去を終了して論理消去を完了する（Ｓ９）。
本実施例によれば、管理情報開始位置９１を検出することにより消去開始位置をＰＭＡ開始位置９から管理情報開始位置９１に変更し、その先端位置から論理消去を開始する。従って、図１１に示すように管理情報９ｂが残存する状態の光ディスク１を作成してしまうことはなく、かつ、不正ディスクを作成したドライブとの互換性を保つメディアを作成することができる。
【００１４】
次に図３を参照しながら、本発明の他の実施例による光ディスク装置の動作を説明する。
図３は本実施例における光ディスク装置の物理消去動作を示すフローチャート図である。
ホストコンピュータ（図示せず）から、物理消去コマンドが発行されると（Ｓ２１）、スピンアップ途中に取得した内周情報からＰＭＡ開始位置９を算出し、物理消去開始位置をＰＭＡ開始位置９に設定する（Ｓ２）。
そして、ピックアップ駆動手段７を制御することで、ピックアップ３を光ディスク１のＰＭＡ開始位置９の手前までシークさせる（Ｓ３）。そして、ピックアップ３をシーク位置からＰＭＡ開始位置９まで再生させる（Ｓ４）。ピックアップ３の現在位置がＰＭＡ開始位置９に到達するまでの再生中、記録信号検出手段８により記録信号の検出を行い（Ｓ１１）、また制御手段２にピックアップ３の現在位置を計算させる（Ｓ５）。そのため、図８に示すように管理情報が所定の位置９より手前から記録されている場合には、Ｓ６にてピックアップ３が物理消去開始位置であるＰＭＡ開始位置９に到達する前に記録信号が検出される（Ｓ１２）。Ｓ１２にて記録信号が検出されるとピックアップ３の現在位置を計算し（Ｓ１３）、その検出位置を物理消去開始位置に設定変更する（Ｓ１４）。そして再度、ピックアップ３を管理情報開始位置の手前にシークさせ（Ｓ３）、再生動作を行う（Ｓ４）。ピックアップ３の現在位置が設定変更された物理消去開始位置に到達するまでの再生中、記録信号検出手段８により記録信号の検出を行い（Ｓ１１）、また制御手段２にピックアップ３の現在位置を計算させる（Ｓ５）。そして、ピックアップ３が設定変更された物理消去開始位置に到達したことを判断すると（Ｓ２６）、この物理消去開始位置から物理消去を行う（Ｓ２７）。この物理消去は、ピックアップ３が管理情報終了位置９２に到達するまで行われる（Ｓ８）。Ｓ８にてピックアップ３が管理情報終了位置に到達したことを判断すると物理消去を終了して物理消去を完了する（Ｓ２９）。
本実施例によれば、管理情報開始位置９１を検出することにより消去開始位置をＰＭＡ開始位置９から管理情報開始位置９１に変更し、その先端位置から物理消去を開始する。従って、図１１に示すように管理情報９ｂが残存する状態の光ディスク１を作成してしまうことはなく、かつ、不正ディスクを作成したドライブとの互換性を保つメディアを作成することができる。
【００１５】
図４を参照しながら、本発明の更に他の実施例による光ディスク装置の動作を説明する。
図４は本実施例における光ディスク装置の消去動作を示すフローチャート図である。
ホストコンピュータ（図示せず）から、論理消去コマンドが発行されると（Ｓ１）、スピンアップ途中に取得した内周情報からＰＭＡ開始位置９を算出し、論理消去開始位置をＰＭＡ開始位置９に設定する（Ｓ２）。
そして、ピックアップ駆動手段７を制御することで、ピックアップ３を光ディスク１のＰＭＡ開始位置９の手前までシークさせる（Ｓ３）。そして、ピックアップ３をシーク位置からＰＭＡ開始位置９まで再生させる（Ｓ４）。ピックアップ３の現在位置がＰＭＡ開始位置９に到達するまでの再生中、記録信号検出手段８により記録信号の検出を行い（Ｓ１１）、また制御手段２にピックアップ３の現在位置を計算させる（Ｓ５）。そのため、図８に示すように管理情報が所定の位置９より手前から記録されている場合には、Ｓ３１にてピックアップ３が論理消去開始位置であるＰＭＡ開始位置９に到達する前に記録信号が検出される（Ｓ１２）。なお、管理情報が所定の位置９より手前から記録されていない場合には、ＰＭＡ開始位置９から論理消去を行う（Ｓ７）。この論理消去は、ピックアップ３が管理情報終了位置９２に到達するまで行われる（Ｓ８）。Ｓ８にてピックアップ３が管理情報終了位置９２に到達したことを判断すると論理消去を終了して論理消去を完了する（Ｓ９）。
Ｓ１２にて記録信号が検出されるとピックアップ３の現在位置を計算し（Ｓ１３）、その検出位置を物理消去開始位置として設定する（Ｓ３３）。そして再度、ピックアップ３を管理情報開始位置９１の手前にシークさせ（Ｓ３）、再生動作を行う（Ｓ４）。ピックアップ３の現在位置が物理消去開始位置に到達する（Ｓ３４）までの再生中、記録信号検出手段８により記録信号の検出を行い（Ｓ１１）、また制御手段２にピックアップ３の現在位置を計算させる（Ｓ５）。そして、ピックアップ３が物理消去開始位置に到達したことを判断すると（Ｓ３４）、この物理消去開始位置から物理消去を行う（Ｓ２７）。この物理消去は、ピックアップ３がＰＭＡ開始位置９に到達するまで行われる（Ｓ３１）。Ｓ３１にてピックアップ３がＰＭＡ開始位置９に到達したことを判断すると、ＰＭＡ開始位置９から論理消去を行う（Ｓ７）。この論理消去は、ピックアップ３が管理情報終了位置に到達するまで行われる（Ｓ８）。Ｓ８にてピックアップ３が管理情報終了位置に到達したことを判断すると論理消去を終了して論理消去を完了する（Ｓ９）。
本実施例によれば、ＰＭＡ開始位置９より前に管理情報が記録されている場合には、図６に示すように、この管理情報開始位置９１を検出してＰＭＡ開始位置９までの間の管理情報９ｂを物理消去することができ、かつ、所定の位置に記録されている管理情報９ａについては、論理消去することができる。
また本実施例によれば、図９に示すように管理情報が所定の位置より後方から記録されている場合には、記録信号が検出されずに、ピックアップ３が論理消去開始位置であるＰＭＡ開始位置９に到達するため、ＰＭＡ開始位置９から管理情報終了位置９２まで所定のデータを上書きする形で論理消去する。したがって、図９に示すように管理情報が所定の位置より後方から記録されている光ディスク１についても、正常な論理消去ができる。
【００１６】
図５を参照しながら、本発明の更に他の実施例による光ディスク装置の動作を説明する。
図５は本実施例における管理情報終了位置の検出動作を示すフローチャート図である。
ホストコンピュータ（図示せず）から、消去コマンドが発行されると、スピンアップ途中に取得した内周情報からＰＭＡ開始位置９を算出し、論理消去開始位置をＰＭＡ開始位置９に設定する（Ｓ２）。次に、ピックアップ駆動手段７を制御することで、ピックアップ３を光ディスク１のＰＭＡ開始位置９の手前までシークさせ（Ｓ３）、その後ピックアップ３をＰＭＡ終了位置１０まで再生させる。
ここで、消去終了位置が設定済みか否かを判断し（Ｓ４０）、未設定の場合には、記録信号検出手段８により管理情報の記録信号を検出し続ける（Ｓ４１）。管理情報が不連続に記録されている光ディスクの場合、Ｓ４１にて、管理情報の途切れ目の所で記録信号が検出されない位置が検出される。記録信号が検出されなかった場合には、ピックアップ３の現在位置を計算し（Ｓ４２）、記録信号が検出されなかった位置のサブコードデータの照合を行い（Ｓ４３）、照合した結果、管理情報の記録が正常に記録終了されていないサブコードデータの場合は再生させ（Ｓ４）、正常に管理情報が記録終了されている位置の検出を行う。そして、サブコードデータの照合により正常に管理情報が記録終了している位置を検出し（Ｓ４３）、その検出位置を消去終了位置である管理情報終了位置９２に設定する（Ｓ４４）。
Ｓ４４にて管理情報終了位置９２を設定した場合にはピックアップ駆動手段７を制御することで、ピックアップ３を光ディスク１のＰＭＡ開始位置９の手前までシークさせる（Ｓ３）。
本実施例によれば、不連続に記録されている管理情報を一連の連続した管理情報として再編することができる。従って、管理情報が不連続に記録されている場合であっても、管理情報を残すことなく消去を行え、追記や再生を正常に行うことができる。
なお本実施例では、消去終了位置の設定方法に関する流れについて説明したが、図２から図４に示すフロー図において適用することができる。従って本実施例を、図２に示す光ディスク装置の消去動作に適用する場合には、図５におけるＳ４０を例えば図２のＳ６とＳ７との間で行う。また本実施例を、図３に示す光ディスク装置の消去動作に適用する場合には、図５におけるＳ４０を例えば図３のＳ２６とＳ２７との間で行う。また本実施例を、図４に示す光ディスク装置の消去動作に適用する場合には、図５におけるＳ４０を例えば図４のＳ３１とＳ７との間で行う。このように、本実施例を、図２、図３、および図４に示す実施例に適用する場合には、図２、図３、および図４に示す管理情報終了位置は、図５におけるＳ４４で設定した消去終了位置となる。
【００１７】
【発明の効果】
以上のように本発明によれば、管理情報が所定の位置より手前から記録されている場合や、管理情報が不連続に記録されている場合であっても、管理情報を残すことなく消去を行え、追記や再生を正常に行うことができる光ディスク装置の記録情報消去方法を提供することができる。
【図面の簡単な説明】
【図１】
本発明の一実施における光ディスク装置の構成図
【図２】
本実施例における光ディスク装置の論理消去動作を示すフローチャート図
【図３】
本実施例における光ディスク装置の物理消去動作を示すフローチャート図
【図４】
本実施例における光ディスク装置の消去動作を示すフローチャート図
【図５】
本実施例における管理情報終了位置の検出動作を示すフローチャート図
【図６】
物理消去の対象とする管理情報と論理消去の対象とする管理情報を示すディスクフォーマットの構成図
【図７】
ＣＤ−ＲＷディスクの内周付近のディスクフォーマットの構成図
【図８】
記録エリアのトラック情報を管理する管理情報が管理情報開始位置より手前から記録されている場合のディスクフォーマットの構成図
【図９】
記録エリアのトラック情報を管理する管理情報が管理情報開始位置より後方から記録されている場合のディスクフォーマットの構成図
【図１０】
記録エリアのトラック情報を管理する管理情報が不連続に記録されている場合のディスクフォーマットの構成図
【図１１】
管理情報が記録状態にあるときに管理情報開始位置から消去動作を行った場合のディスクフォーマットの構成図
【図１２】
従来の光ディスク装置の消去動作を示すフローチャート図
【符号の説明】
１    光ディスク
２    制御手段
３    ピックアップ
４    回転制御手段
５    モータ
６    レーザ制御手段
７    ピックアップ駆動手段
８    記録信号検出手段
９    ＰＭＡ開始位置
９１  管理情報開始位置
９２  管理情報終了位置
９ａ  物理消去の対象とする管理情報
９ｂ  論理消去の対象とする管理情報
１０  ＰＭＡ終了位置